(57)【要約】【課題】  フレームとカバー間が固定部品を用いずにコスト安に固定でき、しかも、カバーを取り外すことによる盗難を防止できるステアリングロック装置を提供する。【解決手段】  ステアリングコラム３の外側にステアリングロックユニット４Ａを固定し、このステアリングロックユニット４Ａによってステアリングコラム３内のステアリングシャフト２をロックするステアリングロック装置１Ａにおいて、ステアリングロックユニット４Ａは、カバー６の複数箇所に加締めタブ部１２を設け、この各加締めタブ部１２を加締めることによってカバー６をフレーム５に固定し、ステアリングコラム３にはブラケット１６を一体に設け、このブラケット１６にステアリングロックユニット４Ａを固定し、且つ、少なくとも一部の加締めタブ部１２がブラケット１６のほぼ密着位置に配置された。【選択図】      図４
2006218914.tif 000002
【特許請求の範囲】
【請求項１】
ステアリングコラムの外側にステアリングロックユニットを固定し、このステアリングロックユニットによって該ステアリングコラム内のステアリングシャフトをロックするステアリングロック装置において、
前記ステアリングロックユニットを構成するカバーに複数の加締めタブ部と、
前記ステアリングコラムにブラケットを設け、
これら加締めタブ部を加締めて該カバーをフレームに固定した状態で、該ブラケットに該ステアリングロックユニットを固定した際に、少なくとも一部の該加締めタブ部が該ブラケットのほぼ密着する位置に配置されていることを特徴とするステアリングロック装置。
【請求項２】
請求項１記載のステアリングロック装置であって、
前記カバーは上カバー部と下カバー部とからなり、いずれか一方側に前記加締めタブ部を設け、該加締めタブ部を加締めることによって前記上カバー部と前記下カバー部を共に前記フレームに固定したことを特徴とするステアリングロック装置。
【発明の詳細な説明】
【技術分野】
【０００１】
本発明は、ステアリングシャフトをロックする電動式のステアリングロック装置に関する。
【背景技術】
【０００２】
特許文献１や特許文献２に開示するように従来より電動式のステアリングロック装置が種々提案されている。図１０及び図１１にはその一従来例が示されている。図１０及び図１１において、ステアリングロック装置１００は、ステアリングコラム１０１の外側に固定されるステアリングロックユニット１０２を有する。
【０００３】
ステアリングロックユニット１０２は、フレーム１０３とカバー１０４とを備え、フレーム１０３とカバー１０４内に駆動源（図示せず）、ロックピン１０５等の内部部品が内蔵されている。カバー１０４は、上カバー部１０４ａと下カバー部１０４ｂとからなり、上カバー部１０４ａの複数箇所の折り曲げ用タブ部１０６を加締めることによって上カバー部１０４ａと下カバー部１０４ｂが共にフレーム１０３に固定されている。フレーム１０３には取付部１０７が一体に突設されている。この取付部１０７と別体の取付部材１０８を共にステアリングコラム１０１の外側の取付箇所にリング状に配置し、取付部１０７と取付部材１０８間をボルト１０９で締結することによってステアリングロックユニット１０２が固定されている。ボルト１０９は、その頭部が締結後にねじ切られるものが用いられている。
【０００４】
上記構成において、車両の駐車中にあっては、図１０に示すように、ロックピン１０５がステアリングシャフト１１０の回転を阻止するロック位置に変移されている。このステアリングロック状態にあって、ステアリングシャフト１１０をロック解除するべくステアリングロックユニット１０２をステアリングコラム１０１より取り外すそうとしてもボルト１０９を緩めることができない。これにより、ステアリングロックユニット１０２をステアリングコラム１０１より取り外すことによる盗難を防止している。
【特許文献１】特開２００２−２８３９６４号公報
【特許文献２】特開２００４−２９９６５８号公報
【発明の開示】
【発明が解決しようとする課題】
【０００５】
しかしながら、従来のステアリングロック装置１００では、ステアリングロックユニット１０２の各加締めタブ部１０６の位置まで工具等を侵入させ、工具等によって全ての加締めタブ部１０６を加締め前の位置に変形させることによって上カバー部１０４ａ及び下カバー部１０４ｂをフレーム１０３より取り外すことができる。上カバー部１０４ａや下カバー部１０４ｂを取り外した後に、内部のロックピン１０５等を操作することによってステアリングシャフト１１０のロックを解除できるという問題がある。
【０００６】
ここで、このようなカバー１０４を取り外すことによる盗難を防止するために、フレーム１０３とカバー１０４間の固定に、頭部が締結後にねじ切られるボルトを使用したり、固定箇所に外部アタックできないように盗防部品を別途付加することが考えられるが、固定部品の部品点数が多くなりコスト高になる。
【０００７】
そこで、本発明は、フレームとカバー間が固定部品を用いずにコスト安に固定でき、しかも、カバーを取り外すことによる盗難を防止できるステアリングロック装置を提供することを目的とする。
【課題を解決するための手段】
【０００８】
上記目的を達成する請求項１の発明は、ステアリングコラムの外側にステアリングロックユニットを固定し、このステアリングロックユニットによって該ステアリングコラム内のステアリングシャフトをロックするステアリングロック装置において、前記ステアリングロックユニットを構成するカバーに複数の加締めタブ部と、前記ステアリングコラムにブラケットを設け、これら加締めタブ部を加締めて該カバーをフレームに固定した状態で、該ブラケットに該ステアリングロックユニットを固定した際に、少なくとも一部の該加締めタブ部が該ブラケットのほぼ密着する位置に配置されていることを特徴とする。
【０００９】
請求項２の発明は、請求項１記載のステアリングロック装置であって、前記カバーは上カバー部と下カバー部とからなり、いずれか一方側に前記加締めタブ部を設け、該加締めタブ部を加締めることによって前記上カバー部と前記下カバー部を共に前記フレームに固定したことを特徴とする。
【発明の効果】
【００１０】
請求項１の発明によれば、フレームとカバー間は加締めタブ部を加締め加工することによって固定できる。そして、ステアリングロックユニットの全ての加締めタブ部を工具などによって加締め前の位置に変形させることができないため、カバーをフレームより取り外すことができない。以上より、フレームとカバー間が固定部品を用いずにコスト安に固定でき、しかも、カバーを取り外すことによる盗難を防止できる。
【００１１】
請求項２の発明によれば、請求項１の発明の効果に加え、上カバー部と下カバー部を同一の加締め作業によって同時にフレームに固定するため、組付け作業性が改善される。
【発明を実施するための最良の形態】
【００１２】
以下、本発明の実施形態を図面に基づいて説明する。図１〜図６は本発明の第１実施形態を示し、図１はステアリングロックユニット４Ａの平面図、図２はステアリングロックユニット４Ａの正面図、図３は図２のＡ−Ａ線断面図、図４はステアリングロックユニット４Ａをステアリングコラム３に固定した状態を示す平面図、図５はステアリングロックユニット４Ａをステアリングコラム３に固定した状態を示す正面図、図６はブラケット１６による密着エリアＳを表示したステアリングロックユニット４Ａの正面図である。
【００１３】
図４及び図５に示すように、ステアリングロック装置１Ａは、ステアリングシャフト２を覆うステアリングコラム３の外側に固定されたステアリングロックユニット４Ａを有する。
【００１４】
ステアリングロックユニット４Ａは、図１〜図３に示すように、フレーム５とカバー６とを備えている。カバー６は、フレーム５の上面側を被う上カバー部６ａと、フレーム５の下面側の一部を被う下カバー部６ｂとから構成されている。フレーム５の上面側には、モータ等の駆動源７とこの駆動源７の動力によってロック位置とアンロック位置との間を変移するロックピン８が内蔵されている。フレーム５の下面側には、基板９とこれに搭載された電子部品１０などからなる電子制御部１１が内蔵されている。電子制御部１１は、外部からの暗号化された制御信号をデコードして駆動源７に駆動信号を出力する。
【００１５】
上カバー部６ａの５箇所には加締めタブ部１２が付設されている。この１箇所の加締めタブ部１２は、フレーム５の外面に係合するよう加締められている。他の４箇所の加締めタブ部１２は、下カバー部６ｂの外面に係合するようそれぞれ加締められている。これら加締めタブ部１２の加締めによって上カバー部６ａと下カバー部６ｂが共にフレーム５に固定されている。
【００１６】
フレーム５の下面側には取付用突出部１３が一体に設けられ、この取付用突出部１３の先端面よりロックピン８が突出されている。取付用突出部１３の２箇所にはネジ孔１４が形成されている。
【００１７】
一方、ステアリングコラム３は、図４及び図５に示すように、円筒形状であり、この円筒形状の内部にステアリングシャフト２が回転自在に配置されている。ステアリングコラム３にはロック用孔１５が形成されていると共に、ステアリングコラム３の外側で、且つ、ロック用孔１５の全周囲には、ブラケット１６が一体に突設されている。このブラケット１６の内側はユニット侵入孔１７として構成され、このユニット侵入孔１７にステアリングロックユニット４Ａの取付用突出部１３が配置されている。取付用突出部１３より突出するロックピン８は、ロック用孔１５よりステアリングコラム３の内部に進退自在に配置されている。ブラケット１６に挿入されたボルト１８は、ステアリングロックユニット４Ａのネジ孔１４に螺入されている。このボルト１８によってステアリングロックユニット４Ａがステアリングコラム３に固定されている。各ボルト１８は、その頭部１８ａ（図４に示す）が締結後にねじ切られるものが用いられている。
【００１８】
このようにステアリングロックユニット４Ａがステアリングコラム３のブラケット１６に固定されている状態にあって、取付用突出部１３の外周全面は、ブラケット１６によって覆われ、かつブラケット１６の先端面１６ａは、３箇所の加締めタブ部１２に対してほぼ密着位置に配置されている。図６には、ブラケット１６の密着エリアＳがハッチングで表示されている。  
上記構成において、車両の駐車中にあっては、図４に示すように、ロックピン８がステアリングシャフト２の回転を阻止するロック位置に変移されている。このステアリングロック状態にあって、ステアリングシャフト２をロック解除するべくステアリングロックユニット４Ａをステアリングコラム３より取り外すそうとしてもボルト１８を緩めることができない。従って、ステアリングロックユニット４Ａをステアリングコラム３より取り外すことによる盗難を防止できる。
【００１９】
又、ステアリングロックを不正に解除する他の手段としては、カバー６をフレーム５より取り外すことが考えられる。しかし、ブラケット１６が一部の加締めタブ部１２にほぼ密着位置に配置されているため（図６にて密着エリアＳをハッチングで示す）、全ての加締めタブ部１２の位置まで工具等を侵入させて、全ての加締めタブ部１２を加締め前の位置に変形させることができない。従って、上カバー部６ａ及び下カバー部６ｂをフレーム５より取り外すことができない。そして、ステアリングロックユニット４Ａの組み付け作業において、フレーム５とカバー６間は各加締めタブ部１２を加締め加工することによって固定できる。以上より、フレーム５とカバー６間が固定部品を用いずにコスト安に固定でき、しかも、上カバー部６ａや下カバー部６ｂをフレーム５より取り外すことによる盗難を防止できる。
【００２０】
この第１実施形態では、カバー６は上カバー部６ａと下カバー部６ｂとからなり、上カバー部６ａに加締めタブ部１２を設け、加締めタブ部１２を加締めることによって上カバー部６ａと下カバー部６ｂを共にフレーム５に固定したので、上カバー部６ａと下カバー部６ｂを同一の加締め作業によって同時にフレーム５に固定させることができため、組付け作業性を改善することができる。
【００２１】
図７〜図９は本発明の第２実施形態を示し、図７はステアリングロックユニット４Ｂをステアリングコラム３に固定した状態を示す平面図、図８はステアリングロックユニット４Ｂをステアリングコラム３に固定した状態を示す正面図、図９はブラケット１６による密着エリアＳを表示したステアリングロックユニット４Ｂの正面図である。
【００２２】
図７〜図９において、第２実施形態のステアリングロック装置１Ｂは、前記第１実施形態のものと比較するに、ステアリングロックユニット４Ｂが第１実施形態のステアリングロックユニット４Ａに対して９０度回転させた状態でステアリングコラム３に固定するよう構成されている。第１実施形態のステアリングロックユニット４Ａは、ステアリングコラム３より側方に突出するように配置されるが、この第２実施形態のステアリングロックユニット４Ｂはステアリングコラム３より側方に突出せずに、ステアリングコラム３に沿うように配置される。このような配置位置であるため、図８に示すように、ステアリングロックユニット４Ｂの下カバー部６ｂがステアリングコラム３との間のデッドスペースに配置される。
【００２３】
この第２実施形態では、ステアリングロックユニット４Ｂの下カバー部６ｂがステアリングコラム３との間のデッドスペースに配置されるので、ステアリングロックユニット４Ｂの設置スペースを極力小さくできる。
【００２４】
尚、第１及び第２実施形態では、加締めタブ部１２の一部がブラケット１６のほぼ密着位置に配置されたが、全ての加締めタブ部１２がブラケット１６のほぼ密着位置に配置されるように構成しても良い。このように構成すれば、盗防性を更に向上させることができる。
【図面の簡単な説明】
【００２５】
【図１】本発明の第１実施形態を示し、ステアリングロックユニットの平面図である。
【図２】本発明の第１実施形態を示し、ステアリングロックユニットの正面図である。
【図３】本発明の第１実施形態を示し、図２のＡ−Ａ線断面図である。
【図４】本発明の第１実施形態を示し、ステアリングロックユニットをステアリングコラムに固定した状態を示す平面図である。
【図５】本発明の第１実施形態を示し、ステアリングロックユニットをステアリングコラムに固定した状態を示す正面図である。
【図６】本発明の第１実施形態を示し、ブラケットによる密着エリアを表示したステアリングロックユニットの正面図である。
【図７】本発明の第２実施形態を示し、ステアリングロックユニットをステアリングコラムに固定した状態を示す平面図である。
【図８】本発明の第２実施形態を示し、ステアリングロックユニットをステアリングコラムに固定した状態を示す側面図である。
【図９】本発明の第２実施形態を示し、ブラケットによる密着エリアを表示したステアリングロックユニットの正面図である。
【図１０】従来のステアリングロックユニットをステアリングコラムに固定した状態を示す平面図である。
【図１１】従来のステアリングロックユニットの正面図である。
【符号の説明】
【００２６】
１Ａ，１Ｂ  ステアリングロック装置
２  ステアリングシャフト
３  ステアリングコラム
４Ａ，４Ｂ  ステアリングロックユニット
５  フレーム
６  カバー
６ａ  上カバー部
６ｂ  下カバー部
１２  加締めタブ部
１６  ブラケット
【図１】
2006218914.tif 000003
【図２】
2006218914.tif 000004
【図３】
2006218914.tif 000005
【図４】
2006218914.tif 000006
【図５】
2006218914.tif 000007
【図６】
2006218914.tif 000008
【図７】
2006218914.tif 000009
【図８】
2006218914.tif 000010
【図９】
2006218914.tif 000011
【図１０】
2006218914.tif 000012
【図１１】
2006218914.tif 000013